(57)【要約】  ディスプレイ制御及びモニタリングのための方法及び手段は、ＥＤＩＤ手段を有し、ディスプレイの状態をモニタし、ＥＤＩＤコマンドを介し制御可能なディスプレイの機能を制御するため、ＥＤＩＤ手段を介し無線周波数通信及びＥＤＩＤコマンドを利用してディスプレイと通信することを含む。当該手段は、ディスプレイとインタフェースをとり、ＥＤＩＤパケットを用いて少なくともディスプレイと通信するＥＤＩＤ回路、ＲＦ通信を提供するＲＦインタフェース、ＲＦパケットを送受信するためのアンテナ、及び受信したＲＦパケットとＥＤＩＤパケットとの間の変換を行うプロセッサを有することが可能である。
2014509099.tif 000002
【特許請求の範囲】
【請求項１】
ディスプレイをモニタ及び制御する方法であって、
ディスプレイにＥＤＩＤ（Ｅｘｔｅｎｄｅｄ  Ｄｉｓｐｌａｙ  Ｉｄｅｎｔｉｆｉｃａｔｉｏｎ）通信手段を備えるステップと、
前記ディスプレイの状態をモニタし、ＥＤＩＤコマンドを介し制御可能な前記ディスプレイの機能を制御するため、前記ＥＤＩＤ手段を介し無線周波数通信及び前記ＥＤＩＤコマンドを利用して前記ディスプレイと通信するステップと、
を有する方法。
【請求項２】
一意的なアドレスを利用してＥＤＩＤ通信手段が接続される各自のディスプレイを決定するため、個々のＥＤＩＤ通信手段にクエリを通信するステップをさらに通する、請求項１記載の方法。
【請求項３】
前記ディスプレイにＥＤＩＤ通信手段を備えるステップは、ＥＤＩＤ装置を前記ディスプレイの未使用の通信ポートに接続をことを含む、請求項１記載の方法。
【請求項４】
前記ＥＤＩＤ装置は、ドングルを有し、
前記未使用の通信ポートは、未使用のビデオポートを有する、請求項３記載の方法。
【請求項５】
前記ＥＤＩＤ装置は、無線周波数インタフェースを有する、請求項３記載の方法。
【請求項６】
前記ディスプレイにＥＤＩＤ通信手段を備えるステップは、前記ディスプレイに接続されるビデオケーブルとインラインにＥＤＩＤ装置を配置することを含む、請求項１記載の方法。
【請求項７】
前記ディスプレイにＥＤＩＤ通信手段を備えるステップは、ＥＤＩＤ装置を前記ディスプレイに一体化することを含む、請求項１記載の方法。
【請求項８】
前記無線周波数通信を用いてディスプレイと通信するステップは、前記ディスプレイのＨＤＭＩ／ＤＶＩ／ＶＧＡポート上のディスプレイデータチャネルラインを利用して、メーカー、モデル及び機能セットなどの前記ディスプレイの情報を決定することを含む、請求項１記載の方法。
【請求項９】
ディスプレイのパワー設定は、前記無線周波数通信及びＥＤＩＤコマンドを利用して、モニタ及び制御可能である、請求項１記載の方法。
【請求項１０】
ディスプレイ制御及びモニタリングのための装置であって、
ディスプレイとインタフェースをとり、ＥＤＩＤ（Ｅｘｔｅｎｄｅｄ  Ｄｉｓｐｌａｙ  Ｉｄｅｎｔｉｆｉｃａｔｉｏｎ）パケットを利用して少なくとも前記ディスプレイと通信するＥＤＩＤ回路と、
ＲＦ通信を提供するＲＦインタフェースと、
ＲＦパケットを送受信するためのアンテナと、
前記受信したＲＦパケットをＥＤＩＤパケットに変換し、その反対も行うプロセッサと、
を有する装置。
【請求項１１】
前記ＥＤＩＤ回路は、ＨＤＭＩインタフェースを有する、請求項１０記載の装置。
【請求項１２】
ビデオを受信するためのＨＤＭＩインタフェースをさらに有する、請求項１０記載の装置。
【請求項１３】
当該装置は、ディスプレイの一体化されたコンポーネントを有する、請求項１０記載の装置。
【請求項１４】
ＣＥＣ機能を利用してディスプレイをさらに通信及び制御するためのＣＥＣ（Ｃｏｎｓｕｍｅｒ  Ｅｌｅｃｔｒｏｎｉｃｓ  Ｃｏｎｔｒｏｌ）回路をさらに有する、請求項１０記載の装置。
【発明の詳細な説明】
【技術分野】
【０００１】
本特許出願は、その内容の全てが参照することによりここに援用される、２０１０年１２月３０日に出願された米国仮特許出願第６１／４２８，４０９号に対する利益及び／又は優先権を請求する。
【０００２】
本発明は、一般にディスプレイモニタリングに関し、より詳細には、低パワー無線周波数回路及び装置、拡張ディスプレイ識別情報（Ｅｘｔｅｎｄｅｄ  Ｄｉｓｐｌａｙ  Ｉｄｅｎｔｉｆｉｃａｔｉｏｎ：ＥＤＩＤ）データ、並びにディスプレイモニタリング及び制御のための制御機能を利用するための方法及び装置に関する。
【背景技術】
【０００３】
デジタルサイネージに関するリテール公告ネットワークなどのコンテンツ配信ネットワークでは、公告媒体が実際に再生されたことを広告主が確信できるように、再生ログの証明を実行することが一般的である。先進的な展開では、クエリ及びレスポンス技術を有する商業段階のテレビ／ディスプレイが、信頼性の指標を取得し、さらにテレビ／ディスプレイを制御及びモニタできるようにするため利用される。例えば、いくつかのアプリケーションでは、専用のプロトコルを利用したシリアルポートをサポートする商業用スクリーンが利用される。さらに、いくつかの商業用アプリケーションは、付属のスクリーンの状態を決定するため、ＥＤＩＤクエリ及びＣＥＣ（Ｃｏｎｓｕｍｅｒ  Ｅｌｅｃｔｒｏｎｉｃｓ  Ｃｏｎｔｒｏｌ）ラインをサポートするセットトップボックス（ＳＴＢ）の利用を要求する。しかしながら、これらの手段の何れも、当該システムにコストを追加する、モニタリング及び制御機能を実行するためのＳＴＢ上のソフトウェア及びスクリーンに付属された配線を必要とする。さらに、商業用スクリーンは、住居用のＣＥラボ装置より高価である。
【発明の概要】
【０００４】
本発明の実施例は、低パワー無線周波数回路、ＥＤＩＤ（Ｅｘｔｅｎｄｅｄ  Ｄｉｓｐｌａｙ  Ｉｄｅｎｔｉｆｉｃａｔｉｏｎ）データ及びディスプレイモニタリング及び制御のための制御機能を利用するための方法及び装置を提供することによって、従来技術の問題点を解決する。本発明の実施例は、何れのメディア再生装置が利用されているかに独立しながら、安価な居住用スクリーンを利用して商業用スクリーンのモニタリング及び制御機能を提供する。
【０００５】
本発明の一実施例では、ＨＤＭＩ／ＤＶＩ／ＶＧＡ回路／プラグと組み合わされた低パワーＲＦ通信ネットワーク（ＺｉｇＢｅｅ（登録商標）など）の利用は、付属のディスプレイのＥＤＩＤデータの照会が、当該ディスプレイが電源オンされて動作中であるか決定することを可能にする。
【０００６】
本発明の他の実施例では、ＲＦコマンドセットは、当該モードがディスプレイによりサポートされている場合、ＥＤＩＤパケットを用いてディスプレイのスタンバイ／レジュームモードを制御する。
【図面の簡単な説明】
【０００７】
本発明の教示は、添付した図面と共に以下の詳細な説明を考慮することによって、容易に理解可能である。
【図１】図１は、本発明の実施例が適用されるコンテンツ配信システムのハイレベルブロック図を示す。
【図２】図２は、本発明の実施例によるＥＤＩＤ回路装置のハイレベルブロック図を示す。
【図３】図３は、本発明の他の実施例による図２のＥＤＩＤ回路装置のハイレベルブロック図を示す。
【図４】図４は、本発明の実施例によるＥＤＩＤ回路のハイレベルブロック図を示す。
【図５】図５は、本発明の他の実施例による図４のＥＤＩＤ回路のハイレベルブロック図を示す。
【図６】図６は、本発明の実施例によるＨＤＭＩ及びＣＥＣ機能を有するＥＤＩＤ回路のハイレベルブロック図を示す。  図面は、本発明のコンセプトを示すためのものであり、本発明を説明する唯一の可能な構成である必要はないことが理解されるべきである。理解を容易にするため、可能である場合には、図に共通する同一の要素を指定するため同一の参照番号が利用された。
【発明を実施するための形態】
【０００８】
本発明は、効果的には、低パワー無線周波数回路、ＥＤＩＤ（Ｅｘｔｅｎｄｅｄ  Ｄｉｓｐｌａｙ  Ｉｄｅｎｔｉｆｉｃａｔｉｏｎ）データ及びディスプレイモニタリング及び制御のための制御機能を利用するための方法及び装置を提供する。本発明はリテール公告ネットワーク環境に関して主として説明されるが、本発明の具体的な実施例は、本発明の範囲を限定するものとして扱われるべきでない。本発明のコンセプトはディスプレイモニタリング及び制御のための何れかのコンテンツ配信又は通信ネットワークにおいて効果的に適用可能であることが、当業者により理解され、本発明の教示により伝えられる。
【０００９】
図１は、本発明の実施例が適用されるコンテンツ配信システムのハイレベルブロック図を示す。本発明の一実施例によると、図１のシステム１００は、例示的には、メディアサーバ１１０、ネットワーク運営センタ又はネットワーク管理センタ１２０などのメディアフロー制御用の装置、ＲＦ送受信機１３０、２つのメディアプレーヤー１４０１，１４０２、２つの消費者用のディスプレイスクリーン１５０１，１５０２及び２つの関連するＥＤＩＤ回路装置１６０１，１６０２を有する。図１のシステム１００では、メディアサーバは、メディアプレーヤー１４０１，１４０２とメディアフロー装置１２０を介しコンテンツを通信する。メディアプレーヤー１４０１，１４０２からのコンテンツは、各消費者用ディスプレイスクリーン１５０１，１５０２上に表示される。
【００１０】
本発明の実施例によると、メディアサーバ１１０は、ＥＤＩＤ回路装置１６０１，１６０２に関するＲＦインタフェース及びＲＦ送受信機１３０を利用して、各消費者用ディスプレイスクリーン１５０１，１５０２と通信する。すなわち、図１の実施例では、ＥＤＩＤ回路装置１６０１，１６０２は、各消費者用ディスプレイスクリーン１５０１，１５０２上の未使用ポートにプラグインする小型のドングルの形態をとる。ドングル１６０１，１６０２は、ＨＤＭＩ／ＤＶＩ／ＶＧＡポート上のＤＤＣラインを利用して、メーカー、モデル及び機能セットなどの各消費者用ディスプレイスクリーン１５０１，１５０２の情報を決定するため、各消費者用ディスプレイスクリーン１５０１，１５０２に照会する。
【００１１】
簡単化のため、ＥＤＩＤは、Ｉ２Ｃ技術に基づく双方向通信システムであり、データパケットは、典型的には、それらの間で３０ｍｓで送信される。この機能はＣＥＡ−８６１に十分詳細化され、公開情報は、ｈｔｔｐ：／／ｅｎ．ｗｉｋｉｐｅｄｉａ．ｏｒｇ／ｗｉｋｉ／Ｅｘｔｅｎｄｅｄ＿ｄｉｓｐｌａｙ＿ｉｄｅｎｔｉｆｉｃａｔｉｏｎ＿ｄａｔａにおいて利用可能である。本発明のコンセプトによると、ＥＤＩＤ技術が、図１の消費者用ディスプレイスクリーン１５０１，１５０２などのディスプレイの状態を照会するのに利用される。ディスプレイが電源オンされていない場合、クエリに対するリプライはない。ディスプレイが電源オンされている場合、ディスプレイは、当該ディスプレイを特定するデータパケットによりリプライするであろう。照会されたディスプレイからのリプライデータパケットを解析することによって、当該ディスプレイに関する情報が得られる。
【００１２】
例えば、以下は、Ｅｎｖｉｓｉｏｎ  ＥＮ−７７５ｅモニタにより報告されるデータのサマリである。
【００１３】
【表１】
2014509099.tif 000003
図１の実施例のＥＤＩＤドングルはまた、複数の一般的なＲＦネットワーク技術（ＺｉｇＢｅｅ（登録商標）など）の何れを利用するＲＦモジュール／インタフェース（図２を参照）をその上に有する。本発明の一実施例では、本発明のＥＤＩＤドングルは、ＥＤＩＤドングルが何れのディスプレイにプラグインされるか決定するため、ＥＤＩＤドングルに一意的なアドレスによって各ＥＤＩＤドングルに照会するためのマスタノード（図１のメディアサーバ１１０など）の機能をサポートする。ＥＤＩＤドングルが関連するディスプレイからリプライを取得しない場合、ＥＤＩＤドングルはディスプレイにプラグインされていないか、又はディスプレイは電源オンされていないことが推測できる。
【００１４】
本発明のコンセプトによりコマンドを特定のＥＤＩＤドングルに送信することによって、メディアサーバは、当該ドングルがプラグインされるディスプレイのシリアル番号を決定することが可能であり、これにより、ディスプレイスクリーンを一意的に特定することが可能になる。本発明のクエリのリプライから取得可能な重要な事実は、ディスプレイが動作中であるということである。
【００１５】
ディスプレイがＥＤＩＤに対する電力制御をサポートする実施例では（最初のＥＤＩＤデータブロックのバイト２４に記述されるような）、本発明のＥＤＩＤドングルは、ＥＤＩＤコマンドを利用してスクリーンをスタンバイ状態に配置することによって、ＲＦサイドからの“パワーサスペンド”コマンドに応答する。本発明によると、ＥＤＩＤドングルは、本発明のコンセプトに従ってここに記載されるような機能を実現するため、コマンドがＲＦを介しＥＤＩＤドングルに送信されることを可能にする。これは、ディスプレイがＥＤＩＤドングルを介しコマンドを発信することによって、スイッチオン及びオフされることを可能にする。
【００１６】
図２は、本発明の実施例によるＥＤＩＤ回路装置のハイレベルブロック図を示す。図２のＥＤＩＤ回路装置は、例示的に、ＥＤＩＤドングルを有する。図２のＥＤＩＤドングルは、例示的に、ＥＤＩＤ  Ｉ２Ｃインタフェース２１０、プロセッサ２２０、ＲＦインタフェース２３０及びアンテナ２４０を有する。図２のＥＤＩＤドングルはさらに、ディスプレイとインタフェースをとるためのプラグ２５０を有する。図２の実施例では、ＥＤＩＤドングルは、ＲＦパケットを聴取し、それらをＥＤＩＤパケットに変換する、またその反対を実行するため、マイクロコントローラ又はマイクロプロセッサ２２０を介し接続されるＥＤＩＤインタフェース２１０及びＲＦインタフェース２３０を実現する。すなわち、図２のＥＤＩＤドングルはまた、ＥＤＩＤパケットを聴取し、それらをＲＦパケットに変換する。ＥＤＩＤドングルのプラグ２５０は、例えば、ディスプレイ装置の未使用ビデオポートにプラグインするためのＨＤＭＩ、ＶＧＡ又はＤＶＩなどの何れかのＥＤＩＤに互換的なプラグを有することを可能である。
【００１７】
図３は、本発明の他の実施例による本発明のＥＤＩＤ回路装置のハイレベルブロック図を示す。図３の実施例では、ＥＤＩＤドングルは、図２の実施例と同様の未使用ビデオポートを必要としない。より詳細には、図２のＥＤＩＤドングルと同様に、図３のＥＤＩＤドングルは、例示的には、ＥＤＩＤ  Ｉ２Ｃインタフェース２１０、プロセッサ２２０、ＲＦインタフェース２３０、アンテナ２４０及びプラグ２５０を有する。しかしながら、図３のＥＤＩＤドングルはさらに、既存の通信ケーブルとインタフェースをとるための第２コネクタ３６０を有する。すなわち、図３のＥＤＩＤドングルは、使用されているビデオポートとインラインに利用可能である。すなわち、図３のＥＤＩＤドングルでは、ＥＤＩＤライン及び通信を除く全ての電子及び通信は、変更されないＥＤＩＤドングルを直接通過する。図３のＥＤＩＤドングルは、それがディスプレイに直接には接続されていないことにビデオソースが気付かないように、通信が処理されるよう動作する。しかしながら、ＥＤＩＤデータは、ここで説明されるようなコントローラ及びＲＦモジュールに利用可能にされる。すなわち、図３の実施例では、ＥＤＩＤドングルは、ＥＤＩＤドングルは、ディスプレイにプラグインされる実際のケーブルへの“通過（ｐａｓｓ  ｔｈｒｏｕｇｈ）”をサポートする。このような実施例では、セットトップボックスやビデオソースなどのメディアプレーヤーへのケーブルは、ＥＤＩＤドングルをプラグインし、ＥＤＩＤドングルは、ディスプレイにプラグインする。ＥＤＩＤドングルは、ここに説明されるそれの通常機能を保持する。この模倣機能は、それがディスプレイに直接的には接続されていないことを接続されたソースが気付かないようなものである。しかしながら、本発明のＥＤＩＤドングルの各種実施例は、ここに説明されるような制御ファブリックとしてＲＦネットワークを利用した説明された機能を提供することである。
【００１８】
図１の実施例では、図１のシステムのディスプレイは消費者用ディスプレイスクリーンとして示されるが、本発明の他の実施例では、本発明のコンセプトはまた、商業用ディスプレイ及びカスタムビルドスクリーンに適用可能である。例えば、メーカーが商業的に利用可能な消費者用スクリーン（又はＬＣＤパネルなど、これらのスクリーンを構成するコンポーネント）をとりあげ、新たな装着エンクロージャの内部に、上述されたようなＥＤＩＤ技術を介しユニットを制御するためのＲＦラジオリンクを提供する場合、このようなディスプレイは、本発明のコンセプトに従って照会及び制御可能である。
【００１９】
図４は、本発明の他の実施例によるＥＤＩＤ回路のハイレベルブロック図を示す。図４のＥＤＩＤ回路は、別のＥＤＩＤドングルとしてでなくディスプレイ４００に実装される本発明のＥＤＩＤ回路装置の実施例を示す。図４のＥＤＩＤ回路４００は、例示的には、ＥＤＩＤ  Ｉ２Ｃインタフェース４１０、プロセッサ４２０、ＲＦインタフェース４３０及びアンテナを有する。図４のＥＤＩＤ回路は、例示的には、ディスプレイに一体化される。図４の実施例では、ディスプレイは、ビデオを受信するためのＨＤＭＩインタフェース４５０を有する。図４のＥＤＩＤ回路の実施例では、プロセッサ上のファームウェアは、ＲＦパケットを聴取し、それらをＥＤＩＤパケットに変換し、またその反対を実行する。また、本発明のＥＤＩＤ回路は、本発明の上述されたコンセプトに従ってディスプレイをモニタ及び制御可能である。
【００２０】
本発明の他の実施例では、プロセッサは、当該手段がアプリケーションにより適している場合、ディスプレイに対する電力を別々に制御できる。例えば、図５は、本発明の他の実施例によるＥＤＩＤ回路のハイレベルブロック図を示す。図５のＥＤＩＤ回路は、例示的には、ＥＤＩＤ  Ｉ２Ｃインタフェース５１０、プロセッサ５２０、ＲＦインタフェース５３０及びアンテナ５４０を有する。図５のＥＤＩＤ回路はまた、例示的には、ディスプレイ５００に一体化される。図５のＥＤＩＤ回路では、ディスプレイのパワーがディスプレイ回路を介しディスプレイのパワーを通信及び制御することを必要とする代わりに、ＥＤＩＤ回路を介し直接的にモニタ及び制御可能となるように、プロセッサ５２０は、ディスプレイの電力回路５６０と直接通信する。図５の実施例では、ディスプレイは、ビデオを受信するためのＨＤＭＩインタフェース５５０を有する。
【００２１】
図６は、本発明の実施例によるＨＤＭＩ及びＣＥＣ機能を有するＥＤＩＤ回路のハイレベルブロック図を示す。すなわち、図６のＥＤＩＤ回路は、例示的には、ＥＤＩＤ  Ｉ２Ｃインタフェース６１０、プロセッサ６２０、ＲＦインタフェース６３０及びアンテナ６４０を有するＥＤＩＤドングルを有する。図６のＥＤＩＤドングルはさらに、ＨＤＭＩコネクタ６６０及びＣＥＣライン及び回路６７０を有する。図６の実施例では、ＲＦリンクを介したコマンドセットは、ここに説明される本発明の実施例によるディスプレイを照会するための機能を有し、ＨＤＭＩ及びＣＥＣ機能は、当該分野において知られるように、ディスプレイの各種機能を制御するよう実現される。より詳細には、図６に示されるように、本発明のＥＤＩＤ回路／ドングルはさらに、ＣＥＣ機能を利用してディスプレイと通信及び制御するためのＣＥＣ回路６７０を有することが可能である。
【００２２】
低パワー無線周波数回路、ＥＤＩＤデータ、並びにディスプレイモニタリング及び制御のための制御機能を利用するための方法、装置及びシステムのための方法及び装置の各種実施例が説明されたが（限定することなく例示的であることが意図される）、上記教示に基づき改良及び変形が当業者により可能であることに留意されたい。従って、本発明の範囲及び趣旨の範囲内の上述された本発明の特定の実施例において変更があってもよいことが理解されるべきである。上記は本発明の各種実施例に関するものであるが、本発明の他の及びさらなる実施例が、それの基本的な範囲から逸脱することなく創出されてもよい。
【図１】
2014509099.tif 000004
【図２】
2014509099.tif 000005
【図３】
2014509099.tif 000006
【図４】
2014509099.tif 000007
【図５】
2014509099.tif 000008
【図６】
2014509099.tif 000009
【国際調査報告】
2014509099.tif 000010
2014509099.tif 000011
2014509099.tif 000012